(57)【要約】【課題】ナビ装置に処理負荷を掛けることなく有料道路における割引情報をナビ装置で利用することができるナビサーバおよびナビ装置を提供する。【解決手段】ナビサーバ１００は、ナビ装置２００から受信した移動体Ｍの出発位置と目的位置とを含む旅行計画と支援マップ情報ＤＢ１０１の支援マップ情報とに基づいて、移動体Ｍの出発位置から目的位置までの支援ルートを探索する支援ルート探索手段１１０と、移動体Ｍの出発時刻と支援ルートとに基づいて、有料道路における走行時間帯並びに乗り口および降り口により表わされる該有料道路の利用料金の割引条件を満たす割引情報を支援情報ＤＢ１０２から検索する支援情報検索手段１２０と、カーナビ２００が有するナビマップ情報ＤＢ２０１のナビマップ情報を利用する情報演算処理をカーナビ２００に省略させながらも、割引情報を出力させうる割引通知データをカーナビ２００に送信する支援データ送信手段１３０とを備える。【選択図】図１
2010223674.tif 000002
【特許請求の範囲】
【請求項１】
移動体に搭載されているナビ装置との通信を通じて、該移動体に情報を提供するナビサーバであって、
有料道路における走行時間帯並びに乗り口および降り口により表わされる該有料道路の利用料金の割引条件に関する割引情報を、所定の情報源から受信して記憶する支援情報記憶手段と、
前記ナビ装置から受信した、前記移動体の現在位置または出発位置と現在時刻または出発時刻と目的位置とを含む旅行計画と、所定の記憶手段から読み出した支援マップ情報とに基づいて、該移動体の現在位置または出発位置から目的位置までの支援ルートを探索する支援ルート探索手段と、
前記移動体の現在時刻または出発時刻と、前記支援ルート探索手段により探索された支援ルートとに基づいて前記割引条件を満たす有料道路の前記割引情報を、前記支援情報記憶手段から検索する支援情報検索手段と、
前記ナビ装置が有するナビマップ記憶部に保存されているナビマップ情報を利用する情報演算処理を当該ナビ装置に省略させながらも、前記支援情報検索手段によって検索された前記割引情報のうち少なくとも一部を出力させうる割引通知データを当該ナビ装置に送信する支援データ送信手段と
を備えることを特徴とするナビサーバ。
【請求項２】
請求項１記載のナビサーバにおいて、
前記支援データ送信手段は、前記割引条件を満たす前記有料道路の乗り口および降り口と経路上必要となるジャンクションとの情報を前記割引情報の一部として前記ナビ装置に出力させうる前記割引通知データを前記ナビ装置に送信することを特徴とするナビサーバ。
【請求項３】
請求項１または２記載のナビサーバと、前記ナビ装置とから構成されることを特徴とするナビシステム。
【発明の詳細な説明】
【技術分野】
【０００１】
本発明は、移動体に搭載されているナビ装置との通信に基づきこのナビ装置による移動体のナビゲーションを補助するナビサーバおよびナビ装置に関する。
【背景技術】
【０００２】
従来、高速道路におけるＥＴＣ割引に代表されるような有料道路の割引情報を活用したシステムとしては、次の２つのシステムが提案されている。
【０００３】
第１のシステムは、下記特許文献１に示すように、予めサーバからナビ装置にＥＴＣ関連情報を送信し、この情報をナビ装置に記憶保持させ、該ナビ装置が目的地までのルート検索を行う際にその情報を利用してＥＴＣ割引が適用されるルートを設定させる。
【０００４】
第２のシステムは、下記特許文献２に示すように、ナビサーバにＥＴＣ関連情報を記憶保持させ、ナビ装置からナビサーバへ車両の現在位置および目的位置が送信された際に、これら２つの位置を結ぶ領域およびその近傍の有料道路のＥＴＣ関連情報をナビサーバに抽出させ、抽出されたＥＴＣ関連情報をナビ装置にダウンロードする。そして、ナビ装置に、ＥＴＣ関連情報に鑑みて現在位置から目的位置までの有料道路の料金がもっとも安くなるルートを検索・設定させる。
【先行技術文献】
【特許文献】
【０００５】
【特許文献１】特開２００７−１０１３０２号公報
【特許文献２】特開２００６−３０２２０５号公報
【発明の概要】
【発明が解決しようとする課題】
【０００６】
しかし、従来のシステムでは、有料道路における割引情報をナビ装置に記憶保持させた上で、かかる割引情報をナビ装置側で地図情報と整合させる参照処理を行い、現在位置から目的位置までのルート検索を行わなければならず、ナビ装置における処理負荷が大きいという問題があった。
【０００７】
以上の事情に鑑みて、本発明は、ナビ装置における割引情報の出力に要する演算処理の負荷を軽減しながら該割引情報の少なくとも一部をユーザに認識させることができるナビサーバ、およびこれとナビ装置とから構成されるナビシステムを提供することを目的とする。
【課題を解決するための手段】
【０００８】
前記課題を解決するために、第１発明のナビサーバは、移動体に搭載されているナビ装置との通信を通じて、該移動体に情報を提供するナビサーバであって、有料道路における走行時間帯並びに乗り口および降り口により表わされる該有料道路の利用料金の割引条件に関する割引情報を、所定の情報源から受信して記憶する支援情報記憶手段と、前記ナビ装置から受信した、前記移動体の現在位置または出発位置と現在時刻または出発時刻と目的位置とを含む旅行計画と、所定の記憶手段から読み出した支援マップ情報とに基づいて、該移動体の現在位置または出発位置から目的位置までの支援ルートを探索する支援ルート探索手段と、前記移動体の現在時刻または出発時刻と、前記支援ルート探索手段により探索された支援ルートとに基づいて前記割引条件を満たす有料道路の前記割引情報を、前記支援情報記憶手段から検索する支援情報検索手段と、前記ナビ装置が有するナビマップ記憶部に保存されているナビマップ情報を利用する情報演算処理を当該ナビ装置に省略させながらも、前記支援情報検索手段によって検索された前記割引情報のうち少なくとも一部を出力させうる割引通知データを当該ナビ装置に送信する支援データ送信手段とを備えることを特徴とする。
【０００９】
第１発明のナビサーバによれば、ナビ装置が有するナビマップ記憶部に保存されているナビマップ情報を利用する情報演算処理を当該ナビ装置に省略させながらも前記割引情報のうち少なくとも一部を出力させうる割引通知データが、ナビサーバからナビ装置に送信される。
【００１０】
ここで、ナビマップ情報を利用する情報演算処理には、ナビマップ情報の読出処理、検索処理、書込処理等の情報演算処理およびこれに付随する一連の処理が含まれる。具体的には、ナビマップ情報を利用する情報演算処理には、ナビマップ情報を利用したルート検索処理、ルート上に存在する有料道路や該有料道路の乗り口および降り口等の位置を特定するためにナビマップ情報に含まれる位置を認識する処理、さらに施設や名所等をナビマップ情報を利用して検索する処理や単に現在位置や目的位置としてナビマップ情報を表示させる処理等が含まれる。さらに、ナビマップ情報を利用する情報演算処理に付随する処理としては、ナビマップ情報を利用したルートの検索結果をユーザに報知する処理等が含まれる。
【００１１】
また、出力とは、視覚、聴覚その他の五感を通じてユーザが知覚または認識し得る形態で出力することを意味する。
【００１２】
ナビマップ情報を利用する情報演算処理をナビ装置に省略させるので、ナビ装置における割引情報の出力に要する演算処理の負荷を軽減しながら該割引情報の少なくとも一部をユーザに認識させることができる。
【００１３】
第２発明のナビサーバは、第１発明のナビサーバにおいて、前記支援データ送信手段は、前記割引条件を満たす前記有料道路の乗り口および降り口と経路上必要となるジャンクションとの情報を前記割引情報の一部として前記ナビ装置に出力させうる前記割引通知データを前記ナビ装置に送信することを特徴とする。
【００１４】
第２発明のナビサーバによれば、割引通知データは、割引条件を満たす有料道路の乗り口および降り口と経路上必要となるジャンクションとの情報をナビ装置に出力させうるものである。そのため、ナビ装置は、割引通知データで指定された有料道路の乗り口および降り口の位置（座標値）を特定するためにナビマップ情報を利用することなく出力することができ、ナビ装置における割引情報の出力に要する演算処理の負荷を軽減しながら該割引情報の少なくとも一部をユーザに認識させることができる。
【００１５】
第３発明のナビ装置は、第１または第２発明のナビサーバと、前記ナビ装置とから構成されることを特徴とする。
【００１６】
第３発明のナビシステムによれば、ナビ装置が有するナビマップ記憶部に保存されているナビマップ情報を利用する情報演算処理を当該ナビ装置に省略させながらも前記割引情報のうち少なくとも一部を出力させうる割引通知データが、ナビサーバからナビ装置に送信される。これにより、ナビマップ情報を利用する情報演算処理をナビ装置に省略させるので、ナビ装置における割引情報の出力に要する演算処理の負荷を軽減しながら該割引情報の少なくとも一部をユーザに認識させることができる。
【図面の簡単な説明】
【００１７】
【図１】本発明の一実施形態としてのナビサーバ及びナビ装置の構成を示す説明図。
【図２】図１におけるナビサーバ及びナビ装置での処理を示す説明図。
【図３】液晶パネルに表示される割引情報の例を示す説明図。
【発明を実施するための形態】
【００１８】
次に、添付の図面を参照しながら本発明の実施の形態についてさらに詳しく説明する。
【００１９】
まず、図１を用いて、ナビサーバ１００及び移動体に搭載されたカーナビ（ナビ装置）２００の構成について説明する。
【００２０】
ナビサーバ１００は、支援マップ情報ＤＢ１０１と、支援情報ＤＢ１０２と、サーバＤＢ１０３と、支援ルート探索手段１１０と、支援情報検索手段１２０と、支援データ作成手段１３０とを備えている。尚、各処理部は、ＣＰＵ，ＲＯＭ、ＲＡＭ等のハードウェアにより構成され、これらの各処理部が共通のハードウェアによって構成されていてもよく、これらの各処理部の一部又は全部が異なるハードウェアによって構成されていてもよい。
【００２１】
支援マップ情報ＤＢ１０１は、地図情報（マップ情報）を記憶する。また、支援マップ情報ＤＢ１０１の地図情報は、新規道路の開通等に合わせて定期的に更新され、最新の地図情報となっている。
【００２２】
支援情報ＤＢ１０２は、有料道路における走行時間帯並びに乗り口および降り口（必要に応じてジャンクションを含む）により表わされる前記有料道路の利用料金の割引条件に関する割引情報を記憶する。支援情報ＤＢ１０２の割引情報は、例えば、主要道路会社から最新のＥＴＣ割引の内容を取得することにより、有料道路における最新の割引情報となっている。
【００２３】
ここで、割引情報には、割引条件として、割引対象料金所通過時刻、割引時間帯（割引対象日、割引対象曜日）、割引対象走行距離、割引対象区間、割引対象車種などが含まれ、有料道路の利用料金として、通常料金に対する割引率、割引額などが含まれる。
【００２４】
サーバＤＢ１０３は、移動体Ｍのカーナビ２００に関する情報が記憶される。具体的には、カーナビ２００の識別情報やバージョン情報のほか、カーナビ２００からナビサーバ１００に送信された移動体Ｍの現在位置または出発位置と、目的位置と、現在時刻または出発時刻とを含む旅行計画を記憶する。
【００２５】
尚、支援マップ情報ＤＢ１０１に記憶されている地図情報および支援情報ＤＢ１０２に記憶されている割引情報には、情報源としての外部コンピュータ（図示略）から、インターネット等のネットワークを通じてナビサーバ１００に送信されたものが含まれている。
【００２６】
支援ルート探索手段１１０は、支援マップ情報ＤＢ１０１に記憶されている地図情報に基づいて、移動体Ｍのカーナビ２００からナビサーバ１００に送信された移動体Ｍの旅行計画で規定された現在位置または出発位置から目的位置までの支援ルートを探索する。なお、支援ルートの探索に際しては、情報源から取得したＶＩＣＳ情報等の道路交通情報を考慮した支援ルートの探索を行うようにしてもよい。
【００２７】
支援情報検索手段１２０は、支援ルート探索手段１１０で探索された支援ルートに対して、移動体の現在時刻または出発時刻に基づいて、支援情報ＤＢ１０２に記憶された割引情報の中から割引条件を満たす割引情報を検索する。
【００２８】
支援データ作成手段１３０は、支援情報検索手段１２０によって検索された割引条件を満たす割引情報の内容を、ナビ装置が有するナビマップ情報を利用する情報演算処理をカーナビ２００に省略させながらも、カーナビ２００を出力させうる割引通知データにしてカーナビ２００に送信する。
【００２９】
具体的に、本実施形態の割引通知データは、（１）割引の名称、（２）割引条件を満たす有料道路の乗り口および降り口（必要に応じてジャンクションを含む）のそれぞれの名称、（３）割引条件を満たす有料道路の乗り口および降り口（ジャンクション）のそれぞれの通過時刻、（４）通常料金に対する割引額（割引率）の割引情報を文字または文字コードとしたテキストファイルとなっている。
【００３０】
なお、割引通知データにより送信される割引情報は、少なくとも（２）割引条件を満たす有料道路の乗り口および降り口（ジャンクション）のそれぞれの名称を含み、これに、上記（１）および（３）および（４）の情報の一部または全部を組み合わせたものであってもよい。
【００３１】
また、割引通知データは、テキストファイルに限らず、割引情報の内容を文字または文字コードとしたファイル（データ）形式であれば、テキストファイル以外の形式であってもよい。
【００３２】
一方、移動体Ｍのカーナビ２００は、ナビマップ情報ＤＢ２０１と、旅行計画認識手段２１０と、表示制御手段２２０と、ナビルート設定手段２３０と、これらの手段による演算処理結果を画像で表示する液晶パネル２４０と、該処理結果を音声で報知するスピーカ２５０と、ユーザによる入力および操作を行わしめる操作ボタン２６０とを備える。
【００３３】
ナビマップ情報ＤＢ２０１は、地図情報（ナビマップ情報）を記憶する。尚、ナビマップ情報ＤＢ２０１の地図情報は、支援マップ情報ＤＢ１０１の地図情報と一致することが望ましいが、一致しない場合にも、後述する有料道路における割引情報の利用が可能である。
【００３４】
旅行計画認識手段２１０は、移動体ＭのＧＰＳを利用して、移動体Ｍの現在位置、またはユーザによって操作ボタン２６０を通じて入力された出発位置と、目的位置とを含む旅行計画を認識する。
【００３５】
また、旅行計画認識手段２１０は、ユーザがカーナビ２００の操作ボタン２６０を通じて出発時刻を個別に指定した場合には、移動体Ｍの現在時刻に加えて、指定された出発時刻を旅行計画として認識する。
【００３６】
なお、旅行計画認識手段２１０は、液晶パネル２４０がタッチパネルである場合には、ユーザによる液晶パネル２４０へのタッチ操作に基づく入力により旅行計画を認識する。
【００３７】
ここで、本発明の構成要素が情報を「認識する」とは、当該構成要素が情報をデータベースから検索すること、メモリ等の記憶装置から情報を読み取ること、センサ等の出力信号に基づき情報を測定、算定、推定、判定すること、測定等された情報をメモリに格納すること等、当該情報をさらなる情報処理のために準備または用意するために必要なあらゆる情報処理を実行することを意味する。
【００３８】
表示制御手段２２０は、ナビサーバから送信されたテキストファイルの内容の液晶パネル２４０への表示のほか、移動体Ｍの位置や、現在位置または出発位置から目的地までのルートやルートの予測交通情報等の液晶パネル２４０への表示を制御する。
【００３９】
ナビルート設定手段２３０は、ナビマップ情報ＤＢ２０１のナビマップ情報と、旅行計画認識手段２１０により認識された旅行計画と、ナビサーバから送信された割引通知データによる割引情報とに基づいて、割引情報を考慮した現在位置または出発位置から目的位置までナビルートを設定する。
【００４０】
前記構成のナビサーバ１００及びカーナビ２００の機能について図２を用いて説明する。
【００４１】
まず、図２に示すように、移動体Ｍのカーナビ２００の旅行計画認識手段２１０が、ユーザによって操作ボタン２６０を通じて目的位置を設定した等のタイミングで、移動体Ｍの現在位置または出発位置と目的位置と現在時刻または出発時刻とを含む旅行計画を認識する（図２／Ｓ２１０）。
【００４２】
続いて、カーナビ２００は、ユーザの操作ボタン２６０の操作により、通常のルート検索に代えて有料道路における割引情報の検索が選択されると、ナビサーバ１００に旅行計画を送信する。そして、ナビサーバ１００は、移動体Ｍのカーナビ２００からナビサーバ１００に送信された旅行計画を、ネットワークを介して受信する。
【００４３】
カーナビ２００は、有料道路における割引情報の検索が選択されない場合にも、旅行計画を認識したこととトリガとして、自動的に該旅行計画をナビサーバ１００に送信するようにしてもよい。
【００４４】
次に、ナビサーバ１００の支援ルート探索手段１１０は、支援マップ情報ＤＢ１０１に記憶されている地図情報に基づいて、現在位置または出発位置と目的位置とを結ぶ１または複数の支援ルートを探索する（図２／Ｓ１１０）。
【００４５】
続いて、ナビサーバ１００の支援情報検索手段１２０が、支援ルート探索手段１１０により探索された支援ルートに対して、有料道路における走行時間帯並びに乗り口および降り口（ジャンクション）により表わされる有料道路の利用料金の割引条件に関する割引情報を、支援情報ＤＢ１０２に記憶された割引情報に基づいて検索する（図２／Ｓ１２０）。
【００４６】
例えば、支援情報検索手段１２０は、支援ルート上に存在する有料道路区間を抽出した上で、該区間へ乗り入れるための乗り口（料金所やＥＴＣ車専用料金所（ＥＴＣ専用出入口））と、該区間で乗り口以降に存在する降り口（料金所やＥＴＣ車専用料金所（ＥＴＣ専用出入口））を特定し、割引対象走行距離、割引対象区間の割引条件を満たす割引情報を検索する。ここで、割引対象区間は、支援ルート上の有料道路区間の全部または一部のいずれでもよく、一度、有料道路を降りた後、隣接する乗り口から再度有料道路の別の区間へ乗り入れてもよい。
【００４７】
さらに、支援情報検索手段１２０は、現在時刻または出発時刻から予測される上記乗り口および降り口（必要に応じてジャンクションを含む）のそれぞれの乗り口通過時刻および降り口通過時刻（ジャンクション通過時刻）から、割引対象料金所通過時刻、割引時間帯の割引条件を満たす割引情報を検索する。
【００４８】
そして、支援情報検索手段１２０は、以上の割引条件を満たす割引情報が存在する場合には、（１）割引の名称、（２）割引条件を満たす有料道路の乗り口および降り口（ジャンクション）のそれぞれの名称、（３）割引条件を満たす有料道路の乗り口および降り口（ジャンクション）のそれぞれの通過時刻、（４）通常料金に対する割引額（割引率）の情報を含む検索結果を支援データ作成手段１３０に出力する。
【００４９】
次いで、ナビサーバ１００の支援データ作成手段１３０は、支援情報検索手段１２０で検索された上記（１）〜（４）の情報を文字または文字コードとしたテキストファイルからなる割引通知データを作成し、カーナビ２００へ送信する（図２／Ｓ１３０）。
【００５０】
ナビサーバ１００から割引通知データを受信したカーナビ２００は、表示制御手段２２０を介して、割引通知データによる割引情報の内容を液晶パネル２４０へ表示する（図２／Ｓ２２０）。
【００５１】
ここで、割引通知データは、上記（１）〜（４）を文字情報で構成したテキストファイル形式であり、有料道路の乗り口および降り口等の座標情報を含まないことから、カーナビ２００のナビマップ情報ＤＢ２０１の地図情報との参照処理（ナビマップ情報を利用する情報演算処理）を不要として、割引通知データによる割引情報の内容を文字情報としてそのまま液晶パネル２４０へ表示することができる。
【００５２】
図３に示すように、具体的に液晶パネル２４０には、次のメッセージが表示される。すなわち、（１）割引の名称である『通勤割引』が表示され、その下に（２）割引条件を満たす有料道路の乗り口および降り口（ジャンクション）のそれぞれの名称である、『中野長者橋ＩＣ』（乗り口），『川口ＪＣＴ』（ジャンクション），『鹿沼ＩＣ』（降り口），『宇都宮ＩＣ』（乗り口），『須賀川ＩＣ』（降り口）が支援ルートの走行順に表示される。
【００５３】
さらに、（３）通勤割引の（割引対象料金所通過時刻）の条件を満たすための前記乗り口および降り口（ジャンクション）の通過時刻が割引条件である、『川口ＪＣＴ（通過）および鹿沼ＩＣ（降り）を６時〜９時に通過』、『宇都宮ＩＣ（乗り）および須賀川ＩＣ（降り）のＩＣを６時〜９時に通過』が表示され、この場合の（４）通常料金（￥５５００）に対する割引額￥１６５０が表示される。
【００５４】
ここで、割引通知データによる割引情報は、図３に示すように、ナビサーバ１００から送信された割引通知データをなんら加工することなくそのまま表示してもよいが、有料道路の乗り口および降り口（ジャンクション）を編集して表示してもよい。例えば、現在位置から、乗り口および降り口（ジャンクション）、そして目的位置を、液晶パネル２４０の下側から上側に向かって、進行方向として表示するようにしてもよい。逆に、これらを液晶パネル２４０の上側から下側に向かって表示するようにしてもよい。
【００５５】
次いで、ユーザの操作ボタン２６０の操作により、割引通知データによる割引情報の内容を利用したコース設定が選択されると、ナビルート設定手段２３０は、割引条件を満たす有料道路の乗り口および降り口（ジャンクション）のそれぞれの名称を経由地名とする、現在位置または出発位置から目的位置までのナビルートを検索・設定する（図２／Ｓ２３０）。
【００５６】
このとき、ナビサーバ１００から送信された割引通知データは、テキストファイル形式で、そのフォーマットが経由地情報を認識できるファイルフォーマットとなっているため、ナビルート設定手段２３０は、割引通知データの割引情報で指定された有料道路の乗り口および降り口（ジャンクション）のそれぞれの名称をそのまま経由地情報として認識することができ、これらを経由地とする検索をすることができる。
【００５７】
かかるナビルート検索および設定は、通常行われるルート設定と同程度の処理負荷であることから、割引条件を満たしたナビルートの設定を簡易且つ確実に行うことができると共に、経由地を設定するときのアプリケーションソフトを変更することなく、そのままカーナビ２００のアプリケーションソフトを利用することができる。
【００５８】
このようにして設定されたナビルートは、表示制御手段２２０を介して液晶パネル２４０に表示される（図２／Ｓ２３５）。
【００５９】
以上、詳しく説明したように、本実施形態のナビサーバ１００およびカーナビ２００によれば、カーナビ２００に処理負荷を掛けることなく有料道路における割引情報をカーナビ２００で利用することができる。
【００６０】
なお、本実施形態では、割引情報についての割引通知データによる割引情報の表示（図２／Ｓ２２０）が行われるが、かかる表示に加えて又は表示に代えて、スピーカ２５０を介して割引情報の内容を読み上げ、割引情報の内容をユーザに聴覚的に認識させるようにしてもよい。また、かかる表示に加えて又は表示に代えて、割引情報の内容を予め設定されたメールアドレスへ送信するようにしてもよい。
【００６１】
また、本実施形態において、ユーザの操作ボタン２６０の操作により、通常のルート検索が選択された場合（有料道路における割引情報の検索が選択されない場合）には、図２に破線で示すように、カーナビ２００からナビサーバ１００への旅行計画の送信を行うことなく、該旅行計画に基づくナビルートの設定を行うようにしてもよい。
【００６２】
さらに、本実施形態において、ナビマップ情報ＤＢ２０１の地図情報と、支援マップ情報ＤＢ１０１の地図情報とが一致しない場合に、カーナビ２００は、割引情報を利用したナビルートの検索・設定を行わず、その旨を液晶パネル２４０に表示するようにしてもよい。この場合、割引通知データのファイルフォーマット内に経由地情報の利用判断フラグを立てること等により、ナビマップ情報ＤＢ２０１の地図バージョンから、ナビルートの検索・設定が可能か否かを判断するようにすることが好ましい。これにより、ナビマップ情報が最新の有料道路等に対応していない場合に、支援ルートと異なるナビルートが設定されることを回避することができる。
【００６３】
また、本実施形態において、ナビルート設定手段２３０により、ナビルートの位置と名称との位置関係に鑑みてユーザがルートの再探索を希望する場合には、ナビマップ情報に基づいて、ナビルート設定手段２３０がリルートを行ってもよく、ナビサーバ１００の支援ルート探索手段１１０で探索された支援ルートの情報（少なくとも割引条件を満たす有料道路の乗り口および降り口（ジャンクション）の座標情報を含む）をカーナビ２００から取得し、かかる支援ルートの情報に基づいて、ナビルート設定手段２３０がリルートの設定を行うようにしてもよい。
【符号の説明】
【００６４】
１００…ナビサーバ、  １０１…支援マップ情報ＤＢ、  １０２…支援マップ情報ＤＢ、  １０３…サーバＤＢ、  １１０…支援ルート探索手段、  １２０…支援情報検索手段、  １３０…支援データ作成手段、  ２００…カーナビ（ナビ装置）、  ２０１…ナビマップ情報ＤＢ、  ２１０…旅行計画認識手段、  ２２０…表示制御手段、  ２３０…ナビルート設定手段、  ２４０…液晶パネル、  ２５０…スピーカ、  ２６０…操作ボタン。
【図１】
2010223674.tif 000003
【図２】
2010223674.tif 000004
【図３】
2010223674.tif 000005